(57)【要約】レーザーレベルルーラーであって、筐体（１）を含み、筐体（１）内にレーザー射出モジュール（２）、距離測定モジュール（５）、電源モジュール（４）及び角度測定モジュール（３）が設けられ、電源モジュール（４）はレーザー射出モジュール（２）、距離測定モジュール（５）及び角度測定モジュール（３）に給電し、レーザー射出モジュール（２）及び距離測定モジュール（５）は筐体の両端に設置され、電源モジュール（４）と角度測定モジュール（３）はレーザー射出モジュール（２）と距離測定モジュール（５）の間に設置される。【選択図】図２
2019503496.tif 000002
【特許請求の範囲】
【請求項１】
レーザーレベルルーラーであって、筐体を含み、前記筐体内にレーザー射出モジュール、距離測定モジュール、電源モジュール及び角度測定モジュールが設けられ、前記電源モジュールは前記レーザー射出モジュール、前記距離測定モジュール及び前記角度測定モジュールに給電し、その特徴は以下のとおりである：前記レーザー射出モジュール及び前記距離測定モジュールは前記筐体の両端に設置され、前記電源モジュールと前記角度測定モジュールは前記レーザー射出モジュールと前記距離測定モジュールの間に設置される。
【請求項２】
請求項１に記載のレーザーレベルルーラーであって、その特徴は以下のとおりである：前記筐体の第一端から第二端に沿って、前記レーザー射出モジュール、前記電源モジュール及び前記距離測定モジュールが順次に配列される。
【請求項３】
請求項１に記載のレーザーレベルルーラーであって、その特徴は以下のとおりである：前記レーザー射出モジュールはポイント又はレーザーラインのレーザーモジュールであり、前記レーザーラインは水平線又は鉛直線であり、前記レーザーポイントは上下左右前の五つの点の中の任意な組み合わせである。
【請求項４】
請求項１に記載のレーザーレベルルーラーであって、その特徴は以下のとおりである：前記筐体の下方にネジ穴が設けられ、前記レーザーレベルルーラーを支持するブラケット又はベースに接続するために用いられる。
【請求項５】
請求項１に記載のレーザーレベルルーラーであって、その特徴は以下のとおりである：前記ネジ山は前記筐体の中心又は前記レーザー射出モジュールの下対向ポイントの射出口重合位置に位置される。
【請求項６】
請求項５に記載のレーザーレベルルーラーであって、その特徴は以下のとおりである：前記ネジ山の軸線は前記レーザー射出モジュールの射出中心と前記距離測定モジュールの射出中心が共同に位置した中心軸線に垂直である。
【発明の詳細な説明】
【技術分野】
【０００１】
本発明はレーザーアライメント分野に関し、特にレーザーレベルルーラーに関する。
【背景技術】
【０００２】
現在では、建築用レーザー計器は主に距離測定（角度測定）及びレーザーライン（ポイント）という二つの機能を提供する。応用シーンでは、独立な距離測定計器と独立なレーザー射出計器の間の交替使用により幾つかの問題をもたらす一一手動で計器位置又はアライメント位置を交換する必要がある；頻繁的な切替によるもたらした回避できない誤差などである。現状では、ユーザーの角度よりこの二種類の機能を結合する計器がまだない。そのため、本特許は多機能のレーザーレベルルーラーを提供する。
【発明の概要】
【０００３】
上記技術的不足を克服するために、本発明の目的は多機能のレーザーレベルルーラーを提供することである。
【０００４】
本発明はレーザーレベルルーラーを開示し、筐体（１）を含み、前記筐体内にレーザー射出モジュール、距離測定モジュール、電源モジュール及び角度測定モジュールが設けられ、前記電源モジュールは前記レーザー射出モジュール、前記距離測定モジュール及び前記角度測定モジュールに給電し、前記レーザー射出モジュール及び前記距離測定モジュールは前記筐体の両端に設置され、前記電源モジュールと前記角度測定モジュールは前記レーザー射出モジュールと前記距離測定モジュールの間に設置される。
【０００５】
好ましくは、前記筐体の第一端から第二端に沿って、前記レーザー射出モジュール、前記電源モジュール及び前記距離測定モジュールが順次に配列される。
【０００６】
好ましくは、前記レーザー射出モジュールはポイント又はレーザーラインのレーザーモジュールであり、前記レーザーラインは水平線又は鉛直線であり、前記レーザーポイントは上下左右前の五つの点の中の任意な組み合わせである。
【０００７】
好ましくは、前記筐体の下方にネジ穴が設けられ、前記レーザーレベルルーラーを支持するブラケット又はベースに接続するために用いられる。
【０００８】
好ましくは、前記ネジ山は前記筐体の中心又は前記レーザー射出モジュールの下対向ポイントの射出口重合位置に位置される。
【０００９】
好ましくは、前記ネジ山の軸線は前記レーザー射出モジュールの射出中心と前記距離測定モジュールの射出中心が共同に位置した中心軸線に垂直である。
【００１０】
上記技術的解決手段を用いた後、従来技術に比べ、以下の有益な効果を有する：
１．本発明のレーザーレベルルーラーであって、同時に距離測定、角度測定及びマルチポイントマルチラインレーザー投射を実現することができ、且つ一定の技術的手段により、距離測定モジュールの射出中心とレーザー射出モジュールの射出中心を同一の高さにさせ、工事時の点線定位の精確性を高めることができる。
２．本発明のレーザーレベルルーラーであって、ネジ山でベース又はブラケットに接続することができ、それによって異なる作業シーンに適応することができる。
３．本発明のレーザーレベルルーラーであって、図面を参照して階段の工事を行う際、ベースに配置後、距離測定端を仮定参照壁面に突き合わせ、ライン／ポイント端を工事領域に突き合わせ、ステークアウトを行うことができる。一つの階段を完成した後、距離測定端で表示した目盛りのベースにおける移動した距離を見て、更に他端から投射したレーザーを工事参照とし、このように繰り返し操作する。
４．本発明のレーザーレベルルーラーであって、正円又は正方形に類似した密閉な領域で作業を行い、レーザーレベルルーラーを壁面に突き合わせて且つレーザー点の位置と距離の目盛りを標記し、１８０°調整後、距離測定モジュールによる該点の距離が一致すると測定すれば、該方向の上向きの中点を見つけたと表明する。このように実際状況に応じて操作を行い、標記とステークアウトのために用いられる工事領域の中心位置を素早く見つけることができる。
【図面の簡単な説明】
【００１１】
【図１】図１は本発明の好ましい実施例に相応しいレーザーレベルルーラーの案内図である。
【図２】図２は本発明の好ましい実施例に相応しいレーザーレベルルーラーの内部構造立体図である。
【図３】図３は本発明の実施例に相応しいレーザーレベルルーラーの内部構造正面図である。
【符号の説明】
【００１２】
１−筐体，１１−第一端，１２−第二端；
２−レーザー射出モジュール；
３−角度測定モジュール；
４−電源モジュール；
５−距離測定モジュール。
【発明を実施するための形態】
【００１３】
以下では、図面と具体的な実施例と結合して本発明の利点を更に説明する。
【００１４】
図１、図２及び図３に示すように、本発明の好ましい実施例に相応しいレーザーレベルルーラーであって、筐体１を含み、筐体１内にレーザー射出モジュール２、距離測定モジュール５、電源モジュール４及び角度測定モジュール３が設けられ、電源モジュール４はレーザー射出モジュール２、距離測定モジュール５及び角度測定モジュール３に給電し、レーザー射出モジュール２及び距離測定モジュール５は筐体の両端に設置され、電源モジュール４と角度測定モジュール３はレーザー射出モジュール２と距離測定モジュール５の間に設置される。この時、ゼロに調整するステップによって角度測定モジュールの目盛りを０にすることを確保し、このように理想的な状態に近い初期測定状態を構造することができ、その後のレーザーレベルルーラーの位置、方向の調節に精確な基礎を提供する。且つ、本発明のレーザーレベルルーラーの機能が多様であり、距離測定、角度測定、マルチポイントマルチラインのアライメント定位を行い、異なる環境要求に適応することができる。
【００１５】
好ましくは、筐体１の第一端１１から第二端１２に沿って、レーザー射出モジュール２、角度測定モジュール３、電源モジュール４及び距離測定モジュール５が順次に配列され、レーザーレベルルーラーが水平に配置する時、レーザー射出モジュール２の射出中心と距離測定モジュール５の射出中心が同一の水平高度に設置される。
【００１６】
好ましくは、レーザー射出モジュール２は射出レーザーポイント又はレーザーラインのモジュールであり、レーザーラインは水平線又は鉛直線であり、レーザーポイントは上下左右前の五つの点の任意の組み合わせである。本発明のレーザーレベルルーラーはレーザーポイント又はレーザーラインを射出するレーザー射出モジュール２を支持することができ、その構造は相互運用性に優れ、機能が全面的である。
【００１７】
好ましくは、筐体１の下方にネジ山が設けられ、レーザーレベルルーラーをを支持するブラケット又はベースに接続するために用いられる。作業環境が複雑で、複数の作業面を同時に測定、校正する時、レーザーレベルルーラー下に固定用ブラケット又はベースが必要とし、それによって作業者が作業する際に両手で別の仕事をすることができる。筐体１下方のネジ山によってレーザーレベルルーラーをブラケット又はベースに素早く取り付け、操作し易い。
【００１８】
好ましくは、ネジ山は筐体１の中心又はレーザー射出モジュール２の下対向点の射出口重合位置に位置される。好ましくは、ネジ山の軸線はレーザー射出モジュール２の射出中心と距離測定モジュール５の射出中心の共同に位置した中心軸線に垂直である。ネジ山は筐体１の中心に位置されてレーザーレベルルーラーの重心がブラケット又はベースで支持されることを維持し、筐体１全体の水平を維持することができる；ネジ山はレーザー射出モジュール２の下対向点射出口に位置されて下対向点によってレーザーレベルルーラーをブラケット又はベースに水平的に取り付けることができる；二種類のネジ山の設置方法はいずれもレーザーレベルルーラーをブラケット又はベースに水平的に取り付けるためである。
【００１９】
本発明のレーザーレベルルーラーにより、距離測定、角度測定及びマルチポイントマルチラインレーザー投射を同時に実現でき、一定の技術的手段によって、距離測定モジュール５の射出中心とレーザー射出モジュール２の射出中心を同一の高さに設置させ、工事際の位置決めの精確性を高めることができる。本発明のレーザーレベルルーラーによって、ネジ山でベース又はブラケットに接続することができ、それによって異なる作業シーンに適応させる。本発明のレーザーレベルルーラーであって、図面を参照して階段の工事を行う際、ベースに配置後、距離測定端を仮定参照壁面に突き合わせ、ライン／ポイント端を工事領域に合わせ、ステークアウトを行うことができる。一つの階段を完成した後、距離測定端で表示した目盛りのベースで移動した一定の距離を見て、更に他端から投射したレーザーを工事参照とし、このように繰り返し操作する。本発明のレーザーレベルルーラーにより、正円又は正方形に類似した密閉な領域で作業を行い、レーザーレベルルーラーを壁面に突き合わせて且つレーザー点の位置と距離の目盛りを標記し、１８０°調整後、距離測定モジュールによる該点の距離が一致すると測定すれば、該方向の上向きの中点を見つけたと表明する。このように実際状況に応じて操作を行い、標記とステークアウトのために用いられる工事領域の中心位置を素早く見つけることができる。
【００２０】
注意すべきなことは、本発明の実施例は好ましい実施性を有し、且つ本発明に対して如何なる形態の規制をせず、当業者であれば、上記開示した技術内容を利用して同等する有効な実施例に変更又は修飾することができ、本発明の技術的解決手段から脱しない内容は、本発明の技術実質に基づいて以上の実施例に対する如何なる修正又は同等変化及び修飾が、いずれも本発明の技術的解決手段の範囲に属する。
【図１】
2019503496.tif 000003
【図２】
2019503496.tif 000004
【図３】
2019503496.tif 000005
【国際調査報告】
2019503496.tif 000006
2019503496.tif 000007
2019503496.tif 000008
2019503496.tif 000009
2019503496.tif 000010